(57)【要約】【課題】新しい画像形成装置を提供すること。【解決手段】  プリンタ１では、プロセスカートリッジ１７は、本体ケーシング２の本体側電極９５から、感光ドラム１８、帯電ローラ１９、現像ローラ２０、および、供給ローラ２１に電力を供給するためのカートリッジ側電極７０を備え、ドロワフレーム３９は、プロセスカートリッジ１７を、前後方向に沿って並ぶように保持している。ドロワフレーム３９では、上下方向における左側フレーム４７の上端は、左側壁４０を左側から見たときに、上下方向におけるカートリッジ側電極７０の上端よりも下方に配置され、上下方向における左側補強部材４８の上端は、左側壁４０を左側から見たときに、左側フレーム４７の上端よりも下方に配置されている。【選択図】図２
2014167568.tif 000002
【特許請求の範囲】
【請求項１】
第１給電部と第２給電部とを有する装置本体と、
上下方向と略直交する第１方向に延び、画像形成に用いられる第１プロセス体と、前記第１方向における一方側に配置され、前記第１給電部と接触可能な第１受電部であって、前記第１給電部からの電力を前記第１プロセス体に供給するための第１受電部とを有する第１カートリッジと、
前記第１方向に延び、画像形成に用いられる第２プロセス体と、前記第１方向における一方側に配置され、前記第２給電部と接触可能な第２受電部であって、前記第２受電部からの電力を前記第２プロセス体に供給するための第２受電部とを有する第２カートリッジと、
前記第１カートリッジおよび前記第２カートリッジを、前記上下方向および前記第１方向の両方と略直交する第２方向に沿って並ぶように保持するように構成され、前記装置本体内に位置する第１位置と、前記装置本体外に位置する第２位置との間を移動するように構成される保持部材と
を備え、
前記保持部材は、前記第１方向の一方側に、樹脂製の第１フレームと、金属製の第１補強部材とを有する一方側壁を備え、
前記上下方向における前記第１フレームの上端は、前記一方側壁を前記第１方向の一方側から他方側へ見たときに、前記上下方向における前記第１受電部および前記第２受電部の上端よりも下方に配置され、
前記上下方向における前記第１補強部材の上端は、前記一方側壁を前記第１方向の一方側から他方側へ見たときに、前記第１フレームの上端と同一位置、もしくは、下方に配置されている
ことを特徴とする、画像形成装置。
【請求項２】
前記保持部材は、前記第２位置から前記第１位置に移動する間であって、前記装置本体内に配置される第３位置に移動するように構成され、
前記装置本体は、前記保持部材が前記第２位置から前記第３位置に移動するときに、前記第１受電部および前記第２受電部と前記第１給電部および前記第２給電部とが接触しないように、前記保持部材と前記第１給電部および前記第２給電部との間に設けられた空間を有し、
前記保持部材が前記第３位置から前記第１位置に移動するときに、前記第１受電部および前記第２受電部と前記第１給電部および前記第２給電部とが接続するように構成されている
ことを特徴とする、請求項１に記載の画像形成装置。
【請求項３】
前記一方側壁は、前記保持部材が前記第３位置に位置するときに、前記第２方向に沿って設けられ、前記第１方向において前記第１給電部および前記第２給電部と対向する位置に、前記第１方向の一方側から他方側に凹む凹部を備え、
前記空間は、前記凹部によって区画されている
ことを特徴とする、請求項２に記載の画像形成装置。
【請求項４】
前記第１フレームは、前記第１カートリッジおよび前記第２カートリッジのそれぞれを支持するように構成される支持部を備え、
前記支持部は、前記第１補強部材よりも上方に配置されている
ことを特徴とする、請求項１ないし３のいずれか一項に記載の画像形成装置。
【請求項５】
前記第１フレームは、前記第１カートリッジおよび前記第２カートリッジのそれぞれを支持するように構成される支持部を備え、
前記支持部は、前記第１方向の他方側に向って突出し、前記第１カートリッジおよび前記第２カートリッジを下方から支持するように構成されている
ことを特徴とする、請求項１ないし３のいずれか一項に記載の画像形成装置。
【請求項６】
前記第１補強部材は、前記第１方向の他方側に向かって突出する突出部を備えていることを特徴とする、請求項１ないし５のいずれか一項に記載の画像形成装置。
【請求項７】
前記装置本体は、第１駆動供給部と第２駆動供給部とを有し、
前記第１カートリッジは、画像形成に用いられる第３プロセス体と、前記第１方向における他方側に配置され、前記第１駆動供給部と接触可能な第１駆動伝達部であって、前記第１駆動供給部からの駆動力を前記第３プロセス体に伝達するための第１駆動伝達部とを有し、
前記第２カートリッジは、画像形成に用いられる第４プロセス体と、前記第１方向における他方側に配置され、前記第２駆動供給部と接触可能な第２駆動伝達部であって、前記第２駆動供給部からの駆動力を前記第４プロセス体に伝達するための第２駆動伝達部とを有し、
前記保持部材は、前記第１方向の他方側に、樹脂製の第２フレームと、金属製の第２補強部材とを有する他方側壁を備え、
前記上下方向における前記第２フレームの上端は、前記他方側壁を前記第１方向の他方側から一方側へ見たときに、前記第１駆動伝達部および前記第２駆動伝達部の上端よりも下方に配置され、
前記上下方向における前記第２補強部材の上端は、前記他方側壁を前記第１方向の他方側から一方側へ見たときに、前記第２フレームの上端と同一位置、もしくは、下方に配置されている
ことを特徴とする、請求項１ないし６のいずれか一項に記載の画像形成装置。
【請求項８】
第１駆動供給部と第２駆動供給部とを有する装置本体と、
上下方向と略直交する第１方向に延び、画像形成に用いられる第３プロセス体と、前記第１方向における他方側に配置され、前記第１駆動供給部と接触可能な第１駆動伝達部であって、前記第１駆動供給部からの駆動力を前記第１プロセス体に伝達するための第１駆動伝達部とを有する第１カートリッジと、
前記第１方向に延び、画像形成に用いられる第４プロセス体と、前記第１方向における他方側に配置され、前記第２駆動供給部と接触可能な第２駆動伝達部であって、前記第２駆動供給部からの駆動力を前記第２プロセス体に伝達するための第２駆動伝達部とを有する第２カートリッジと、
前記第１カートリッジおよび前記第２カートリッジを、前記上下方向および前記第１方向の両方と略直交する第２方向に沿って並ぶように保持するように構成され、前記装置本体内に位置する第１位置と、前記装置本体外に位置する第２位置との間を移動するように構成される保持部材と
を備え、
前記保持部材は、前記第１方向の他方側に、樹脂製の第２フレームと、金属製の第２補強部材とを有する他方側壁を備え、
前記上下方向における前記第２フレームの上端は、前記他方側壁を前記第１方向の他方側から一方側へ見たときに、前記第１駆動伝達部および前記第２駆動伝達部の下端と同一位置、もしくは、下方に配置され、
前記上下方向における前記第２補強部材の上端は、前記他方側壁を前記第１方向の他方側から一方側へ見たときに、前記第２フレームの上端と同一位置、もしくは、下方に配置されている
ことを特徴とする、画像形成装置。
【請求項９】
前記第２フレームは、前記複数のカートリッジおよび前記第２カートリッジのそれぞれを支持するように構成される支持部を備え、
前記支持部は、前記第２補強部材よりも上方に配置されている
ことを特徴とする、請求項８に記載の画像形成装置。
【請求項１０】
前記第２フレームは、前記第１カートリッジおよび前記第２カートリッジのそれぞれを支持するように構成される支持部を備え、
前記支持部は、前記第１方向の一方側に向って突出し、前記第１カートリッジおよび前記第２カートリッジを下方から支持するように構成されている
ことを特徴とする、請求項８または９に記載の画像形成装置。
【請求項１１】
前記第２補強部材は、前記第１方向の一方側に向かって突出する突出部を備えていることを特徴とする、請求項８ないし１０のいずれか一項に記載の画像形成装置。
【発明の詳細な説明】
【技術分野】
【０００１】
本発明は、電子写真方式が採用される画像形成装置に関する。
【背景技術】
【０００２】
画像形成装置として、複数のカートリッジを装置本体に対して着脱自在に備えるタンデム型のカラープリンタが知られている。
【０００３】
そのようなカラープリンタとして、例えば、複数のカートリッジを並べて支持するカートリッジトレイを、装置本体に対してスライド移動可能に保持するカラープリンタが提案されている（例えば、特許文献１参照）。
【先行技術文献】
【特許文献】
【０００４】
【特許文献１】特開２００８−１６５０２５号公報
【発明の概要】
【発明が解決しようとする課題】
【０００５】
本発明の目的は、新しい画像形成装置を提供することにある。
【課題を解決するための手段】
【０００６】
上記した目的を達成するために、本発明の画像形成装置は、第１給電部と第２給電部とを有する装置本体と、上下方向と略直交する第１方向に延び、画像形成に用いられる第１プロセス体と、第１方向における一方側に配置され、第１給電部と接触可能な第１受電部であって、第１給電部からの電力を第１プロセス体に供給するための第１受電部とを有する第１カートリッジと、第１方向に延び、画像形成に用いられる第２プロセス体と、第１方向における一方側に配置され、第２給電部と接触可能な第２受電部であって、第２受電部からの電力を第２プロセス体に供給するための第２受電部とを有する第２カートリッジと、第１カートリッジおよび第２カートリッジを、上下方向および第１方向の両方と略直交する第２方向に沿って並ぶように保持するように構成され、装置本体内に位置する第１位置と、装置本体外に位置する第２位置との間を移動するように構成される保持部材とを備え、保持部材は、第１方向の一方側に、樹脂製の第１フレームと、金属製の第１補強部材とを有する一方側壁を備え、上下方向における第１フレームの上端は、一方側壁を第１方向の一方側から他方側へ見たときに、上下方向における第１受電部および第２受電部の上端よりも下方に配置され、上下方向における第１補強部材の上端は、一方側壁を第１方向の一方側から他方側へ見たときに、第１フレームの上端と同一位置、もしくは、下方に配置されている。
【０００７】
また、上記した目的を達成するために、第１駆動供給部と第２駆動供給部とを有する装置本体と、上下方向と略直交する第１方向に延び、画像形成に用いられる第３プロセス体と、第１方向における他方側に配置され、第１駆動供給部と接触可能な第１駆動伝達部であって、第１駆動供給部からの駆動力を第１プロセス体に伝達するための第１駆動伝達部とを有する第１カートリッジと、第１方向に延び、画像形成に用いられる第４プロセス体と、第１方向における他方側に配置され、第２駆動供給部と接触可能な第２駆動伝達部であって、第２駆動供給部からの駆動力を第２プロセス体に伝達するための第２駆動伝達部とを有する第２カートリッジと、第１カートリッジおよび第２カートリッジを、上下方向および第１方向の両方と略直交する第２方向に沿って並ぶように保持するように構成され、装置本体内に位置する第１位置と、装置本体外に位置する第２位置との間を移動するように構成される保持部材とを備え、保持部材は、第１方向の他方側に、樹脂製の第２フレームと、金属製の第２補強部材とを有する他方側壁を備え、上下方向における第２フレームの上端は、他方側壁を第１方向の他方側から一方側へ見たときに、第１駆動伝達部および第２駆動伝達部の上端よりも下方に配置され、上下方向における第２補強部材の上端は、他方側壁を第１方向の他方側から一方側へ見たときに、第２フレームの上端と同一位置、もしくは、下方に配置されている。
【発明の効果】
【０００８】
本発明の画像形成装置では、新しい画像形成装置を提供することができる。
【図面の簡単な説明】
【０００９】
【図１】図１は、本発明の画像形成装置の第１実施形態のプリンタを示す中央断面図である。
【図２】図２は、図１に示すドロワフレームの着脱を説明するための説明図であって、図２Ａは、ドロワユニットが装着位置に配置されている状態を示し、図２Ｂは、図２ＡのＡ−Ａ断面図である。
【図３】図３は、図２に引き続き、図１に示すドロワフレームの着脱動作を説明するための説明図であって、図３Ａは、フロントカバーの開閉途中の状態を示し、図３Ｂは、図３ＡのＢ−Ｂ断面図である。
【図４】図４は、図３に引き続き、図１に示すドロワフレームの着脱動作を説明するための説明図であって、図４Ａは、ドロワフレームが中間位置に配置されている状態を示し、図４Ｂは、図４ＡのＣ−Ｃ断面図である。
【図５】図５は、図４に引き続き、図１に示すドロワフレームの着脱を説明するための説明図であって、ドロワフレームが外部位置に配置されている状態の左側面図を示す。
【図６】図６は、図４に引き続き、図１に示すドロワフレームの着脱を説明するための説明図であって、ドロワフレームが外部位置に配置されている状態の右側面図を示す。
【図７】図７は、図１に示すドロワフレームであって、図７Ａは、ブラックプロセスカートリッジを取り外した状態の平面図であり、図７Ｂは、図７ＡのＤ−Ｄ断面図である。
【図８】図８は、本発明の画像形成装置の第２実施形態のプリンタであって、図８Ａは、ドロワフレームの正断面図であり、図８Ｂは、ドロワフレームの左側面図であり、図８Ｃは、ドロワフレームの右側面図である。
【図９】図９Ａは、本発明の画像形成装置の第３実施形態のプリンタにおけるドロワフレームの正断面図であり、図９Ｂは、本発明の画像形成装置の第実施形態のプリンタにおけるドロワフレームの正断面図である。
【発明を実施するための形態】
【００１０】
１．プリンタの全体構成
図１に示すように、画像形成装置の一例としてのプリンタ１は、横置きタイプのダイレクトタンデム型カラーレーザプリンタである。プリンタ１は、装置本体の一例としての本体ケーシング２内に、用紙Ｐを給紙するための給紙部３と、給紙された用紙Ｐに画像を形成するための画像形成部４と、画像が形成された用紙Ｐを排紙するための排紙部５とを備えている。
【００１１】
なお、以下の説明において、プリンタ１の方向に言及するときには、プリンタ１を水平に載置した状態を上下の基準とする。すなわち、図１の紙面上側が上側であり、紙面下側が下側である。また、図１の紙面右側が前側であり、図１の紙面左側が後側である。また、プリンタ１を前側から見たときを左右の基準とする。すなわち、図１の紙面手前側が左側であり、紙面奥側が右側である。なお、左右方向は第１方向の一例であり、前後方向は第２方向の一例である。また、左側は第１方向の一方側の一例であり、右側は第１方向の他方側の一例である。また、前側は第２方向の一方側の一例であり、後側は第２方向の他方側の一例である。
（１）本体ケーシング
本体ケーシング２は、給紙部３および画像形成部４を収容する側面視略矩形状のボックス状に形成されている。本体ケーシング２は、本体開口部６を有する前壁と、フロントカバー７とを備えている。フロントカバー７は、その下端部を支点として、本体開口部６を閉鎖する図２に示す閉鎖位置と、本体開口部６を開放する図４に示す開放位置とに揺動可能である。
（２）給紙部
給紙部３は、図１に示すように、用紙Ｐを収容する給紙トレイ８を備えている。給紙トレイ８は、本体ケーシング２内の底部に着脱自在に装着されている。給紙トレイ８は、給紙ガイド９と、１対のレジストローラ１０とを有している。
【００１２】
給紙トレイ８に収容されている用紙Ｐは、１枚ごとに捌かれ、給紙ガイド９にガイドされて、両レジストローラ１０間に向けて上側へ向かうに従って、後側へＵターンするように給紙され、所定のタイミングで、画像形成部４における後述する感光ドラム１８と、後述する搬送ベルト２７との間に向けて搬送される。
（３）画像形成部
画像形成部４は、スキャナユニット１１、ドロワユニット１２、転写ユニット１３、および定着ユニット１４を備えている。
（３−１）スキャナユニット
スキャナユニット１１は、本体ケーシング２の上部に配置されている。スキャナユニット１１は、後述する複数、すなわち４つの感光ドラム１８のそれぞれに向けて、画像データに基づいて、レーザービームをそれぞれ出射し、感光ドラム１８を露光する。
（３−２）ドロワユニット
ドロワユニット１２は、本体ケーシング２の上下方向略中央であって、スキャナユニット１１の下側に配置されている。ドロワユニット１２は、各色に対応して複数、すなわち４つのプロセスカートリッジ１７を備えている。
【００１３】
複数のプロセスカートリッジ１７のそれぞれは、前後方向に互いに間隔を隔てて並列配置されている。具体的には、ドロワユニット１２の前側から後側に向かって、ブラックプロセスカートリッジ１７Ｋと、イエロープロセスカートリッジ１７Ｙと、マゼンタプロセスカートリッジ１７Ｍと、シアンプロセスカートリッジ１７Ｃとが、順次配列されている。
【００１４】
なお、ブラックプロセスカートリッジ１７Ｋは、第１カートリッジの一例として構成される。
【００１５】
また、イエロープロセスカートリッジ１７Ｙと、マゼンタプロセスカートリッジ１７Ｍと、シアンプロセスカートリッジ１７Ｃとをまとめて、カラーのプロセスカートリッジ１７と記載し、カラーのプロセスカートリッジ１７は、第２カートリッジの一例として構成される。
【００１６】
複数のプロセスカートリッジ１７は、それぞれ、感光ドラム１８と、帯電ローラ１９と、現像ローラ２０と、供給ローラ２１と、層厚規制ブレード２２とを備えている。
【００１７】
なお、ブラックプロセスカートリッジ１７Ｋの感光ドラム１８と、ブラックプロセスカートリッジ１７Ｋの帯電ローラ１９と、ブラックプロセスカートリッジ１７Ｋの現像ローラ２０と、ブラックプロセスカートリッジ１７Ｋの供給ローラ２１とは、第１プロセス体および第３プロセス体の一例として構成される。
【００１８】
また、カラーのプロセスカートリッジ１７の感光ドラム１８と、カラーのプロセスカートリッジ１７の帯電ローラ１９と、カラーのプロセスカートリッジ１７の現像ローラ２０と、カラーのプロセスカートリッジ１７の供給ローラ２１とは、第２プロセス体および第４プロセス体の一例として構成される。
【００１９】
感光ドラム１８は、左右方向に長手の略円筒形状に形成され、プロセスカートリッジ１７の下端部において、下側から露出されるように回転可能に支持されている。
【００２０】
帯電ローラ１９は、左右方向に長手の略円柱形状に形成され、感光ドラム１８に対して後上側から接触されている。
【００２１】
現像ローラ２０は、左右方向に長手の略円柱形状に形成され、感光ドラム１８に対して上側から接触されている。
【００２２】
供給ローラ２１は、左右方向に長手の略円柱形状に形成され、現像ローラ２０に対して上側から接触されている。
【００２３】
層厚規制ブレード２２は、現像ローラ２０に対して後側から接触されている。
【００２４】
また、複数のプロセスカートリッジ１７のそれぞれは、それらの上側の空間に、各色に対応するトナーを収容している。
【００２５】
プロセスカートリッジ１７内のトナーは、供給ローラ２１に供給され、さらに、現像ローラ２０に供給され、供給ローラ２１と現像ローラ２０との間で正極性に摩擦帯電される。
【００２６】
現像ローラ２０に供給されたトナーは、現像ローラ２０の回転に伴って、層厚規制ブレード２２によって厚さが規制され、一定厚さの薄層として現像ローラ２０の表面に担持される。
【００２７】
一方、感光ドラム１８の表面は、感光ドラム１８の回転に伴って、帯電ローラ１９により一様に正帯電された後、スキャナユニット１１からのレーザービームの高速走査により露光される。これにより、用紙Ｐに形成すべき画像に対応した静電潜像が感光ドラム１８の表面に形成される。
【００２８】
現像ローラ２０の表面に担持され、かつ、正帯電されているトナーは、感光ドラム１８がさらに回転すると、感光ドラム１８の表面に形成されている静電潜像に供給される。これにより、感光ドラム１８の表面には、反転現像によるトナー像が担持される。
（３−３）転写ユニット
転写ユニット１３は、本体ケーシング２内において、給紙部３の上側であって、ドロワユニット１２の下側において、前後方向に沿って配置されている。この転写ユニット１３は、前後方向に間隔を隔てて対向配置される駆動ローラ２５および従動ローラ２６と、駆動ローラ２５および従動ローラ２６の周りに巻回される搬送ベルト２７と、複数の感光ドラム１８のそれぞれに対して、搬送ベルト２７の上側部分を挟んで対向する複数、すなわち４つの転写ローラ２８を備えている。
【００２９】
そして、給紙部３から給紙された用紙Ｐは、搬送ベルト２７によって、前側から後側に向かって、各感光ドラム１８と各転写ローラ２８とが対向する転写位置を順次通過するように搬送される。さらに、各感光ドラム１８に担持されている各色のトナー像は、用紙Ｐの搬送中に、用紙Ｐに順次転写される。
（３−４）定着ユニット
定着ユニット１４は、転写ユニット１３の後側に配置され、加熱ローラ２９と、加熱ローラ２９の後下側から対向する加圧ローラ３０とを備えている。転写ユニット１３において、用紙Ｐに転写されたカラー画像は、用紙Ｐが加熱ローラ２９と加圧ローラ３０との間を通過する間に、加熱および加圧されることによって用紙Ｐに熱定着される。
（４）排紙部
排紙部５は、本体ケーシング２の上側部分において、上側が開放される側面視略Ｖ字状に形成されている。排紙部５は、排紙ガイド３２と、排紙口３３と、１対の排紙ローラ３４と、排紙トレイ３５とを備えている。
【００３０】
定着ユニット１４において、トナー像が熱定着された用紙Ｐは、排紙ガイド３２にガイドされて、排紙口３３に向けて、上側へ向かうに従って、前側へＵターンするように搬送され、１対の排紙ローラ３４間を通って、排紙トレイ３５上に排紙される。
２．ドロワユニット
ドロワユニット１２は、保持部材の一例としてのドロワフレーム３９と、前述した複数のプロセスカートリッジ１７とを備えている。
（１）ドロワフレーム
ドロワフレーム３９は、ドロワフレーム３９が本体ケーシング２内に位置するときに、後述するカートリッジ側電極７０と本体側電極９５とが接続され、現像カップリング７１と現像駆動供給部９８とが接続され、ドラムカップリング７２とドラム駆動供給部９９とが接続される図２に示す第１位置の一例としての装着位置と、後述するカートリッジ側電極７０と本体側電極９５との接続が解除され、現像カップリング７１と現像駆動供給部９８との接続が解除され、ドラムカップリング７２とドラム駆動供給部９９との接続が解除される図４に示す第３位置の一例としての中間位置とに、揺動するように構成されている。
【００３１】
また、ドロワフレーム３９は、上記した中間位置と、本体ケーシング２から引き出される図５および図６に示す第２位置の一例としての外部位置とに前後方向に沿ってスライド移動するように構成されている。ドロワフレーム３９は、図２に示すように、上下方向に開放された略角筒形状に形成されている。ドロワフレーム３９は、一方側壁の一例としての左側壁４０と、他方側壁の一例としての右側壁４１と、前壁４２と、後壁４３と、図１および図７に示すように、複数、すなわち３つの区画壁４４とを備えている。
【００３２】
左側壁４０および右側壁４１は、図２に示すように、左右方向に互いに間隔を隔てて対向配置されている。
【００３３】
左側壁４０は、第１フレームの一例としての左側フレーム４７と、第１補強部材の一例としての左側補強部材４８とを備えている。
【００３４】
左側フレーム４７は、ＡＢＳ、ＰＳなどの樹脂材料からなり、その上端縁は、左側面視において、後述するカートリッジフレーム６７のカートリッジ側電極７０の上端よりも下方となるように配置されている。左側フレーム４７は、左側平板部４９と、支持部の一例としての左側支持部５０とを備えている。
【００３５】
左側平板部４９は、前後方向に延びる側面視略矩形平板形状に形成されている。左側平板部４９は、左側補強取付部５１を備えている。
【００３６】
左側補強取付部５１は、左側平板部４９の左側面における周縁部を除く部分から、右側に向かって、略矩形状に窪むように形成されている。
【００３７】
左側支持部５０は、左側平板部４９の下端部から、右方に向かって突出する突条に形成されている。
【００３８】
左側補強部材４８は、亜鉛メッキ鋼板（ＳＥＣＣ）、ステンレス鋼板（ＳＵＳ）などの金属材料からなり、前後方向に延びる側面視略矩形平板形状に形成されている。左側補強取付部５１は、左側平板部４９の左側補強取付部５１に受け入れ可能な外寸に形成されている。すなわち、左側補強部材４８の上端縁は、左側面視において、左側フレーム４７の上端縁よりも下方となるように配置されている。
【００３９】
右側壁４１は、第２フレームの一例としての右側フレーム５４と、第２補強部材の一例としての右側補強部材５５とを備えている。
【００４０】
右側フレーム５４は、ＡＢＳ、ＰＳなどの樹脂材料からなり、その上端縁は、右側面視において、後述する現像カップリング７１の上端よりも下方となるように配置されている。右側フレーム５４は、左側フレーム４７と同一の前後方向長さに形成されている。右側フレーム５４は、右側平板部５６と、支持部の一例としての右側支持部５７とを備えている。
【００４１】
右側平板部５６は、図２および図６に示すように、前後方向に延びる側面視略矩形平板形状に形成されている。右側平板部５６は、複数、すなわち４つの駆動入力穴５８と、右側補強取付部５９とを備えている。
【００４２】
駆動入力穴５８は、後述するプロセスカートリッジ１７のドラム駆動供給部９９に対応して、前後方向に間隔を隔てて配置されており、右側平板部５６を側面視円形状に貫通形成されている。
【００４３】
右側補強取付部５９は、右側平板部５６の右側面における複数の駆動入力穴５８より上側部分において、周縁部を除く部分から、左側に向かって略矩形状に窪むように形成されている。
【００４４】
右側支持部５７は、右側平板部５６の下端部から左方に向かって突出する突条に形成されている。
【００４５】
右側補強部材５５は、亜鉛メッキ鋼板（ＳＥＣＣ）、ステンレス鋼板（ＳＵＳ）などの金属材料からなり、前後方向に延びる側面視略矩形平板形状に形成されている。右側補強部材５５は、左側補強部材４８と同一の前後方向長さであり、右側平板部５６の右側補強取付部５９に受け入れ可能な外寸に形成されている。すなわち、右側補強部材５５の上端縁は、右側面視において、右側フレーム５４の上端縁よりも下方となるように配置されている。
【００４６】
前壁４２は、図２に示すように、左側壁４０および右側壁４１の前端部間に架設され、左右方向に延びる略平板形状に形成されている。前壁４２は、その前面にユーザが把持するための把持部６２を備えている。
【００４７】
後壁４３は、左側壁４０および右側壁４１の後端部間に架設され左右方向に延びる略平板形状に形成されている。
【００４８】
区画壁４４は、図１および図７に示すように、前壁４２から後壁４３の間を略４等分するように、前後方向に間隔を隔てて３つ配置されており、左側壁４０および右側壁４１の間に架設されている。詳しくは、区画壁４４は、左右方向に投影したときに、その下面が、左側壁４０の左側支持部５０、および、右側壁４１の右側支持部５７の上面と一致し、その上面が、左側壁４０の左側平板部４９の上面と一致し、左右方向に延びる正面視略矩形平板形状に形成されている。
【００４９】
そして、ドロワフレーム３９において、前後方向に対向する区画壁４４と、左側壁４０および右側壁４１とによって囲まれた空間、また、前端部においては、前壁４２と、最前方の区画壁４４と、左側壁４０および右側壁４１とによって囲まれた空間、また、後端部においては、後壁４３と、最後方の区画壁４４と、左側壁４０および右側壁４１とによって囲まれた空間は、それぞれ、カートリッジ収容部６４として区画されている。つまり、カートリッジ収容部６４は、前後方向に沿って並ぶように複数、すなわち４つ区画されている。
（２）プロセスカートリッジ
複数のプロセスカートリッジ１７はそれぞれ、対応するカートリッジ収容部６４のそれぞれに着脱可能に収容されている。なお、プロセスカートリッジ１７は、その下端部が、カートリッジ収容部６４における左側壁４０の左側支持部５０の上面、および、右側壁４１の右側支持部５７の上面に当接されることによって、ドロワフレーム３９に支持されている。プロセスカートリッジ１７は、カートリッジフレーム６７を備えている。
【００５０】
カートリッジフレーム６７は、図１および図２に示すように、下側が開放された略ボックス形状に形成されている。カートリッジフレーム６７は、図２および図７に示すように、カートリッジ側電極形成部６９を備えている。
【００５１】
カートリッジ側電極形成部６９は、カートリッジフレーム６７の上端部における左面から、左側に向かって略矩形状に突出するように形成されている。カートリッジ側電極形成部６９は、プロセスカートリッジ１７がカートリッジ収容部６４に収容されたときに、左側壁４０よりも左方に突出している。詳しくは、カートリッジ側電極形成部６９の左面は、左側壁４０の左側平板部４９の左面より左方に配置されている。これにより、プロセスカートリッジ１７が収容されたドロワフレーム３９の左側部分には、前後方向全域にわたって、左側から右側に向かって窪む凹部７４が区画されている。また、カートリッジ側電極形成部６９のそれぞれは、カートリッジ側電極７０を複数、すなわち３つずつ備えている。
【００５２】
カートリッジ側電極７０は、前後方向に間隔を隔てて配置され、カートリッジ側電極形成部６９の左面から左側に向かって略矩形状に突出するように形成されている。カートリッジ側電極７０は、図示しないが、カートリッジフレーム６７の内部と電気的に接続されており、後述する本体ケーシング２の本体側電極９５からの電力を、プロセスカートリッジ１７の感光ドラム１８と、帯電ローラ１９と、現像ローラ２０と、供給ローラ２１とに供給するように構成されている。
【００５３】
なお、ブラックプロセスカートリッジ１７Ｋのカートリッジ側電極形成部６９に形成されるカートリッジ側電極７０は、第１受電部の一例として構成される。
【００５４】
また、カラーのプロセスカートリッジ１７のカートリッジ側電極形成部６９に形成されるカートリッジ側電極７０は、第２受電部の一例として構成される。
【００５５】
また、カートリッジフレーム６７は、その右壁において、図２および図６に示すように、現像カップリング７１と、ドラムカップリング７２とを備えている。
【００５６】
なお、ブラックプロセスカートリッジ１７Ｋの現像カップリング７１は、第１駆動伝達部の一例として構成される。
【００５７】
また、カラーのプロセスカートリッジ１７の現像カップリング７１は、第２駆動伝達部の一例として構成される。
【００５８】
現像カップリング７１は、カートリッジフレーム６７の右壁の後上側部分において、その中央に側面視略長方形状の溝が形成された略円板形状に形成されている。現像カップリング７１は、後述する現像駆動供給部９８からの駆動力を、帯電ローラ１９と、現像ローラ２０と、供給ローラ２１とに伝達するように、図示しないギア列と接続されている。
【００５９】
ドラムカップリング７２は、カートリッジフレーム６７の右壁の前下側部分において、その中央に側面視略長方形状の溝が形成された略円板形状に形成されている。ドラムカップリング７２は、カートリッジフレーム６７の内部の感光ドラム１８と接続されており、後述するドラム駆動供給部９９からの駆動力を、感光ドラム１８に伝達するように構成されている。
３．本体ケーシング
本体ケーシング２は、図２に示すように、プリンタ１の外形を構成する外側ケーシング８０と、外側ケーシング８０の内側に配置される内側ケーシング８１とを備えている。
（１）外側ケーシング
外側ケーシング８０は、前端部に本体開口部６を備える略ボックス形状に形成されている。本体開口部６は、フロントカバー７の開閉により、開閉される。
（２）内側ケーシング
内側ケーシング８１は、前後方向に延びる略角筒形状に形成されている。内側ケーシング８１は、給紙部３と画像形成部４とを一体的に収容可能な上下方向長さおよび左右方向長さに形成されている。また、内側ケーシング８１は、１対のドロワガイド８３を備えている。１対のドロワガイド８３は、連動機構８４を介して、揺動可能に内側ケーシング８１に支持されている。
【００６０】
ドロワガイド８３は、ドロワフレーム３９を本体ケーシング２の内外にスライド移動可能に保持するように形成されている。ドロワガイド８３は、前後方向に沿って延び、その左右方向内側における上側が開放される正面視略Ｌ字状の略杆形状に形成されている。なお、ドロワガイド８３の窪んだ部分の上面が、ドロワフレーム３９のスライド移動をガイドするガイド面８６として区画されている。また、ドロワガイド８３には、ドロワフレーム３９が外部位置から中間位置に移動されたときに、ドロワフレーム３９のドロワガイド８３への相対移動を規制する図示しないストッパが配置されている。
【００６１】
連動機構８４は、ドロワガイド８３を介して、ドロワフレーム３９を図４に示す中間位置と、図２に示す装着位置とに移動するように構成されている。詳しくは、連動機構８４は、ドロワフレーム３９が載置されたドロワガイド８３を、フロントカバー７の開放動作によって、図４に示すように、前上方に平行移動させ、フロントカバー７の閉鎖動作によって、図２に示すように、後下方に平行移動させる。連動機構８４は、１対の回動部８８と、１対の従動部８９とを備えている。
【００６２】
回動部８８は、内側ケーシング８１の前側部分に配置されており、前後方向に長手の側面視略長方形状の平板形状に形成されている。回動部８８は、その前端縁が、フロントカバー７の下端部における左右方向両外側部分に連続されている。回動部８８は、本体側ボス９１と、ガイド側ボス９２とを備えている。
【００６３】
本体側ボス９１は、回動部８８の前側部分における左右方向外側面から、左右方向外方に向かって突出する略円柱形状に形成されている。本体側ボス９１は、内側ケーシング８１の両側壁の前下側部分に対して、回転可能に組み付けられている。つまり、フロントカバー７は、本体側ボス９１を支点として、揺動可能である。
【００６４】
ガイド側ボス９２は、回動部８８の後側部分における左右方向内側面から、左右方向内方に向かって突出する略円柱形状に形成されている。ガイド側ボス９２は、ドロワガイド８３の前端部に対して、左右方向外側から回転可能に組み付けられている。つまり、ガイド側ボス９２は、本体側ボス９１を支点として、ドロワガイド８３を揺動可能である。
【００６５】
従動部８９は、内側ケーシング８１の後側部分に配置されている。従動部８９は、従動部８９がフロントカバー７に接続されていないこと以外は、回動部８８と同様の構成を有している。従動部８９の本体側ボス９１は、内側ケーシング８１の両側壁の後下側部分に対して、回転可能に組み付けられており、従動部８９のガイド側ボス９２は、左右方向外側から回転可能にドロワガイド８３の後端部に組み付けられている。
【００６６】
これによって、連動機構８４は、フロントカバー７の開閉に連動して、ドロワガイド８３を内側ケーシング８１に対して揺動可能に支持している。
【００６７】
また、内側ケーシング８１は、本体側電極９５と、現像駆動供給部９８と、ドラム駆動供給部９９とを複数、すなわち４つずつ備えている。
【００６８】
なお、ブラックプロセスカートリッジ１７Ｋに対応する本体側電極９５が、第１給電部の一例として構成され、ブラックプロセスカートリッジ１７Ｋに対応する現像駆動供給部９８が、第１駆動供給部の一例として構成される。
【００６９】
また、カラーのプロセスカートリッジ１７に対応する本体側電極９５が、第２給電部の一例として構成され、カラーのプロセスカートリッジ１７に対応する現像駆動供給部９８が、第２駆動供給部の一例として構成される。
【００７０】
本体側電極９５は、プロセスカートリッジ１７に電力を供給するように構成されている。本体側電極９５は、前後方向に間隔を隔てて配置されており、内側ケーシング８１の左壁を貫通し、常には、図示しない付勢ばねによって、右側に向かって付勢される略平板形状に形成されている。本体側電極９５は、複数、すなわち３つの金属端子９６を備えている。
【００７１】
金属端子９６は、カートリッジフレーム６７のカートリッジ側電極７０に対応して、前後方向に間隔を隔てて配置されており、本体側電極９５の右面から、略円錐台状に突出するように形成されている。
【００７２】
現像駆動供給部９８は、現像カップリング７１を介して、プロセスカートリッジ１７に駆動力を供給するように構成されている。現像駆動供給部９８は、前後方向に間隔を隔てて配置されており、内側ケーシング８１の右壁を貫通し、その中央に側面視略長方形状の突起を備える略円柱形状に形成されている。現像駆動供給部９８の突起は、現像カップリング７１に嵌合可能な外寸に形成されている。現像駆動供給部９８は、フロントカバー７の開閉に連動して、進退するように構成されている。具体的には、フロントカバー７が閉鎖位置に位置されているときは、左側に向かって進出し、フロントカバー７が開放位置に向かって揺動し始めると、内側ケーシング８１の右壁内に撤退するように構成されている。
【００７３】
ドラム駆動供給部９９は、ドラムカップリング７２を介して、プロセスカートリッジ１７に駆動力を供給するように構成されている。ドラム駆動供給部９９は、前後方向に間隔を隔てて配置されており、内側ケーシング８１の右壁を貫通し、その中央に側面視略長方形状の突起を備える略円柱形状に形成されている。ドラム駆動供給部９９の突起は、ドラムカップリング７２に嵌合可能な外寸に形成されている。ドラム駆動供給部９９は、現像駆動供給部９８と同様に、フロントカバー７の開閉に連動して進退するように構成されている。
４．ドロワフレームの着脱動作
（１）ドロワフレームの引き出し動作
ドロワフレーム３９は、フロントカバー７が閉鎖位置から開放位置に移動されることによって、装着位置から中間位置に移動する。そして、ドロワフレーム３９はユーザがドロワフレーム３９を本体ケーシング２外に引き出すことによって、中間位置から外部位置にスライド移動される。
（１−１）装着位置
本体側電極９５の金属端子９６は、図２に示すように、ドロワフレーム３９が装着位置に配置されているときには、本体ケーシング２の本体側電極９５が右方に付勢されていることにより、プロセスカートリッジ１７のカートリッジ側電極７０と左右方向において対向するように接触されている。また、現像駆動供給部９８は、対応する現像カップリング７１に嵌合されており、ドラム駆動供給部９９は、対応するドラムカップリング７２に嵌合されている。
（１−２）中間位置
現像駆動供給部９８およびドラム駆動供給部９９は、図３に示すように、ドロワフレーム３９が装着位置に位置されている状態から、フロントカバー７を開放していくと、その開放動作に連動して、内側ケーシング８１の右壁内に撤退する。
【００７４】
そして、フロントカバー７の開放に追従するように、ドロワフレーム３９が載置されたドロワガイド８３は、連動機構８４の本体側ボス９１を支点として、左側面視時計回りに回動する。
【００７５】
そうすると、ドロワフレーム３９は、装着位置に位置されているときよりも、本体ケーシング２に対して相対的に上側となるように移動する。
【００７６】
これにより、カートリッジフレーム６７のカートリッジ側電極７０は、本体側電極９５の金属端子９６と摺擦されながら上方へ移動し、本体側電極９５の金属端子９６から離間される。
【００７７】
そして、図４に示すように、フロントカバー７を開放位置に位置させると、ドロワガイド８３は、連動機構８４の本体側ボス９１を支点として、さらに左側面視時計回りに回動する。すると、ドロワフレーム３９は、本体ケーシング２に対して相対的にさらに上側となるように移動し、ドロワフレーム３９が中間位置に位置される。
【００７８】
これにより、カートリッジフレーム６７のカートリッジ側電極７０が本体ケーシング２の本体側電極９５から離間し、本体側電極９５は、図示しない付勢ばねによって右方に向かって付勢されることにより、プロセスカートリッジ１７が収容されたドロワフレーム３９の凹部７４よって区画される空間（空間７５とする）に配置される。
（１−３）外部位置
次いで、ユーザは、ドロワフレーム３９が中間位置に位置されている状態から、ドロワフレーム３９の把持部６２を把持する。そして、ユーザは、本体開口部６を介して、ドロワガイド８３のガイド面８６に沿って、ドロワフレーム３９を前方に引き出す。これにより、ドロワフレーム３９は、図５および図６に示すように、外部位置に位置される。
【００７９】
そして、ユーザは、外部位置に配置されたドロワフレーム３９に対して、各プロセスカートリッジ１７を着脱する。詳しくは、ユーザは、プロセスカートリッジ１７をドロワフレーム３９から離脱させるには、プロセスカートリッジ１７を上方に引き抜く。また、プロセスカートリッジ１７をドロワフレーム３９に装着するには、ユーザは、プロセスカートリッジ１７を所定の位置に位置決めし、上方からドロワユニット１２のドロワフレーム３９内に挿入する。
（２）ドロワフレームの押し込み動作
ドロワフレーム３９は、ドロワフレーム３９を本体ケーシング２内に押し込まれることによって、外部位置から内部位置における中間位置に移動する。そして、ドロワフレーム３９は、フロントカバー７の閉鎖動作に連動して、中間位置から装着位置に移動する。
【００８０】
ドロワフレーム３９を本体ケーシング２内に装着するには、上記した引き出し動作と逆に操作する。
【００８１】
まず、ドロワフレーム３９は、ドロワガイド８３のガイド面８６に載置され、ガイド面８６に沿って、後方に移動される。すると、ドロワフレーム３９は、図４に示すように、本体ケーシング２内に押し込まれ、中間位置に位置される。
【００８２】
このとき、ドロワフレーム３９は、ドロワガイド８３の図示しないストッパによって、ドロワガイド８３に対する相対移動が規制される。
【００８３】
次いで、フロントカバー７を閉鎖していく。
【００８４】
そうすると、図３に示すように、ドロワフレーム３９が載置されたドロワガイド８３は、連動機構８４の本体側ボス９１を支点として、左側面視反時計回りに回転する。
【００８５】
このとき、本体ケーシング２の本体側電極９５に対して、プロセスカートリッジ１７のカートリッジ側電極形成部６９が上側から当接される。
【００８６】
そうすると、プロセスカートリッジ１７のカートリッジ側電極形成部６９は、ドロワフレーム３９が下方に移動するに従って、本体側電極９５を図示しない付勢ばねの付勢力に抗して、左側へ向かって押圧する。
【００８７】
そして、本体側電極９５の金属端子９６は、図２に示すように、フロントカバー７を閉鎖位置に位置させると、カートリッジ側電極形成部６９のカートリッジ側電極７０と接触する。
【００８８】
また、現像駆動供給部９８およびドラム駆動供給部９９は、フロントカバー７が閉鎖位置に配置されると、左側へ向かって進出され、プロセスカートリッジ１７の現像カップリング７１およびドラムカップリング７２に接続される。
【００８９】
これによって、ドロワフレーム３９が装着位置に位置され、本体ケーシング２に対する装着が完了する。
５．作用効果
（１）このプリンタ１によれば、図５に示すように、プロセスカートリッジ１７は、前後方向に沿って並ぶように、ドロワフレーム３９に収容されており、ドロワフレーム３９が外部位置に配置されているときに、ドロワフレーム３９に対して着脱される。
【００９０】
本体ケーシング２の内側ケーシング８１の本体側電極９５のそれぞれと、プロセスカートリッジ１７のそれぞれの左側に配置されているカートリッジ側電極７０とは、プロセスカートリッジ１７がドロワフレーム３９に収容された状態で、接続されるように配置されている。そのため、本体側電極９５とカートリッジ側電極７０とを接続するために、ドロワフレーム３９の左側壁４０の上端の位置が低く制限される。
【００９１】
よって、ドロワフレーム３９を外部位置に配置したときに、左側壁４０の強度を確保することができず、ドロワフレーム３９の変形や破損が生じやすくなる。しかし、ドロワフレーム３９には、図２に示すように、その左側壁４０に、樹脂製の左側フレーム４７を補強するように、金属製の左側補強部材４８が配置されている。
【００９２】
その結果、左側壁４０は、左側フレーム４７が左側補強部材４８に補強されることにより、上端の位置が低く制限されていても、高い剛性を確保することができる。
【００９３】
これにより、新しい画像形成装置が提供される。
【００９４】
また、図６に示すように、本体ケーシング２の内側ケーシング８１の現像駆動供給部９８のそれぞれと、プロセスカートリッジ１７のそれぞれの右側に配置されている現像カップリング７１とは、プロセスカートリッジ１７がドロワフレーム３９に収容された状態で、接続されるように配置されている。そのため、現像駆動供給部９８と現像カップリング７１とを接続するために、ドロワフレーム３９の右側壁４１の上端の位置が低く制限される。
【００９５】
よって、ドロワフレーム３９を外部位置に配置したときに、右側壁４１の強度を確保することができず、ドロワフレーム３９の変形や破損が生じやすくなる。しかし、ドロワフレーム３９には、図２に示すように、その右側壁４１に、樹脂製の右側フレーム５４を補強するように、金属製の右側補強部材５５が配置されている。
【００９６】
その結果、右側壁４１は、右側フレーム５４が右側補強部材５５に補強されることにより、上端の位置が低く制限されていても、高い剛性を確保することができる。
【００９７】
これにより、新しい画像形成装置が提供される。
（２）また、このプリンタ１によれば、ドロワフレーム３９は、図５に示す外部位置に配置された状態から、後方に押し込むことによって、図４に示す中間位置に配置され、中間位置から、カートリッジ側電極７０と本体側電極９５とが接続されるように、図２に示す装着位置に移動する。
【００９８】
なお、図４および図５に示すように、ドロワフレーム３９が、外部位置および中間位置に配置されているときには、プロセスカートリッジ１７が装着されたドロワフレーム３９と、本体側電極９５との間には、空間７５が区画されているので、プロセスカートリッジ１７のカートリッジ側電極７０と、本体側電極９５とを確実に離間させることができる。
【００９９】
そのため、ドロワフレーム３９が外部位置および中間位置に配置されているときには、カートリッジ側電極７０と本体側電極９５とが電気的に接続されて、プリンタ１の誤動作を引き起こすことがなく、図２に示すように、ドロワフレーム３９を中間位置から装着位置へ揺動させることによって、カートリッジ側電極７０と本体側電極９５とを確実に接触させることができる。
（３）また、このプリンタ１によれば、図４に示すように、プロセスカートリッジ１７が収容されたドロワフレーム３９に凹部７４を配置するという簡易な構成により、プロセスカートリッジ１７のカートリッジ側電極７０と、本体側電極９５とを離間させることのできる空間７５を区画することができる。
（４）また、このプリンタ１によれば、図２に示すように、ドロワフレーム３９の左側壁４０に左側支持部５０を配置し、右側壁４１に右側支持部５７を配置することによって、プロセスカートリッジ１７の左右方向両外側の下端部を支持するようにして、プロセスカートリッジ１７をカートリッジ収容部６４に収容することができる。
６．第２実施形態
（１）第２実施形態の構成
図８を参照して、本発明の画像形成装置の第２実施形態を説明する。なお、第２実施形態において、上記した第１実施形態と同様の部材には同様の符号を付し、その説明を省略する。
【０１００】
上記した第１実施形態では、図２に示すように、ドロワフレーム３９の左側壁４０には、側面視略矩形平板形状の左側補強部材４８が配置され、右側壁４１には、側面視略矩形平板形状の右側補強部材５５が配置されている。
【０１０１】
これに対して、第２実施形態では、図８に示すように、左側壁４０には、断面略Ｌ字状の第１補強部材の一例としての左側補強部材１０８が配置され、右側壁４１には、断面略Ｌ字状の第２補強部材の一例としての右側補強部材１１５が配置されている。
【０１０２】
具体的には、左側壁４０は、左側フレーム１０７と、左側補強部材１０８とを備えている。
【０１０３】
左側フレーム１０７は、ＡＢＳ、ＰＳなどの樹脂材料からなり、その上端縁は、左側面視において、カートリッジフレーム６７のカートリッジ側電極７０の下端よりも下方となるように配置されている。左側フレーム１０７は、左側平板部１０９と、支持部の一例としての左側支持部１１０とを備えている。また、左側フレーム１０７には、左側補強取付部１１１が形成されている。
【０１０４】
左側平板部１０９は、前後方向に延びる側面視略矩形平板形状に形成されている。
【０１０５】
左側支持部１１０は、左側平板部１０９の下端部から、右方に向かって突出する突条に形成されている。
【０１０６】
左側補強取付部１１１は、左側平板部１０９の左側面における前端縁、上端縁、後端縁を除く部分から、右側に向かって窪むとともに、左側支持部１１０の下面における前端縁、右端縁、後端縁を除く部分から、上側に向かって窪むように形成されている。言い換えると、左側補強取付部１１１は、左側フレーム１０７において、正断面視Ｌ字状に窪むように形成されている。
【０１０７】
左側補強部材１０８は、亜鉛メッキ鋼板（ＳＥＣＣ）、ステンレス鋼板（ＳＵＳ）などの金属材料からなり、左側垂直部１１２と、突出部の一例としての左側突出部１１３とを備えている。
【０１０８】
左側垂直部１１２は、前後方向に延びる側面視略矩形平板形状に形成されている。
【０１０９】
左側突出部１１３は、左側垂直部１１２の下端部から、右方に向かって突出する突条に形成されている。
【０１１０】
これにより、左側補強部材１０８は、左側フレーム１０７の左側補強取付部１１１に受け入れ可能な外寸の断面Ｌ字状の平板形状に形成されている。
【０１１１】
右側壁４１は、右側フレーム１１４と、右側補強部材１１５とを備えている。
【０１１２】
右側フレーム１１４は、ＡＢＳ、ＰＳなどの樹脂材料からなり、その上端縁は、右側面視において、カートリッジフレーム６７の現像カップリング７１の下端よりも下方となるように配置されている。右側フレーム１１４は、左側フレーム１０７と同一の前後方向長さに形成されている。右側フレーム１１４は、右側平板部１１６と、支持部の一例としての右側支持部１１７とを備えている。また、右側フレーム１１４には、右側補強取付部１１８が形成されている。
【０１１３】
右側平板部１１６は、前後方向に延びる側面視略矩形平板形状に形成されている。右側平板部１１６には、複数、すなわち４つのフレーム側駆動入力穴１１８が形成されている。
【０１１４】
フレーム側駆動入力穴１１８はプロセスカートリッジ１７のドラム駆動供給部９９に対応して、前後方向に間隔を隔てて配置されており、右側平板部１１６を側面視略円形状に貫通形成されている。
【０１１５】
右側支持部１１７は、右側平板部１１６の下端部から、左方に向かって突出する突条に形成されている。
【０１１６】
右側補強取付部１１８は、右側平板部１１６の右側面における前端縁、上端縁、後端縁を除く部分から、右側に向かって窪むとともに、右側支持部１１７の下面における前端縁、左端縁、後端縁を除く部分から、上側に向かって窪むように形成されている。言い換えると、右側補強取付部１１８は、右側フレーム１１４において、正断面視Ｌ字状に窪むように形成されている。
【０１１７】
右側補強部材１１５は、亜鉛メッキ鋼板（ＳＥＣＣ）、ステンレス鋼板（ＳＵＳ）などの金属材料からなり、左側補強部材１０８と同一の前後方向長さに形成されている。右側補強部材１１５は、右側垂直部１２０と、突出部の一例としての右側突出部１２１とを備えている。
【０１１８】
右側垂直部１２０は、前後方向に延びる側面視略矩形平板形状に形成されている。右側垂直部１２０には、複数、すなわち４つの補強側駆動入力穴１２２が形成されている。
【０１１９】
補強側駆動入力穴１２２は、プロセスカートリッジ１７のドラム駆動供給部９９に対応して、前後方向に間隔を隔てて配置されており、右側垂直部１２０を側面視略円形状に貫通形成されている。
【０１２０】
右側突出部１２１は、右側垂直部１２０の下端部から、左方に向かって突出する突条に形成されている。
【０１２１】
これにより、右側補強部材１１５は、右側フレーム１１４の右側補強取付部１１９に受け入れ可能な外寸の断面Ｌ字状の平板形状に形成されている。
（２）第２実施形態の効果
第２実施形態によれば、図８に示すように、ドロワフレーム３９には、その左側壁４０に、樹脂製の左側フレーム１０７を補強するように、金属製の左側補強部材１０８が配置されている。なお、左側補強部材１０８には、左側突出部１１３が形成されている。そのため、左側補強部材１０８は、高い剛性を備えることができるので、左側壁４０を確実に補強することができる。
【０１２２】
そのため、左側壁４０は、第１実施形態と比較して、より高い剛性を確保することができる。
【０１２３】
これにより、新しい画像形成装置が提供される。
【０１２４】
また、ドロワフレーム３９には、その右側壁４１に、樹脂製の右側フレーム１１４を補強するように、金属製の右側補強部材１１５が配置されている。なお、右側補強部材１１５には、右側突出部１２１が形成されている。そのため、右側補強部材１１５は、高い剛性を備えることができるので、右側壁４１を確実に補強することができる。
【０１２５】
そのため、右側壁４１は、第１実施形態と比較して、より高い剛性を確保することができる。
【０１２６】
これにより、新しい画像形成装置が提供される。
【０１２７】
また、第２実施形態においても、上記した第１実施形態と同様の作用効果を得ることができる。
７．第３実施形態
（１）第３実施形態の構成
図９Ａを参照して、本発明の画像形成装置の第３実施形態を説明する。なお、第３実施形態において、上記した第１実施形態と同様の部材には同様の符号を付し、その説明を省略する。
【０１２８】
上記した第１実施形態では、図２に示すように、プロセスカートリッジ１７は、その下端部が、カートリッジ収容部６４における左側壁４０の左側支持部５０の上面、および、右側壁４１の右側支持部５７の上面に当接されることによって、ドロワフレーム３９に支持されている。
【０１２９】
また、上記した第２実施形態では、図８に示すように、プロセスカートリッジ１７は、その下端部が、カートリッジ収容部６４における左側壁４０の左側支持部１１０の上面、および、右側壁４１の右側支持部１１７の上面に当接されることによって、ドロワフレーム３９に支持されている。
【０１３０】
これに対して、第３実施形態では、図９Ａに示すように、プロセスカートリッジ１７は、ドロワフレーム３９の左側壁４０の上面、および、右側壁４１の上面に当接されることによって、ドロワフレーム３９に支持される。
【０１３１】
具体的には、プロセスカートリッジ１７に、そのカートリッジフレーム６７の上端部における右面から、右側に向かって略矩形状に突出する現像カップリング形成部１２５を配置する。
【０１３２】
現像カップリング形成部１２５は、プロセスカートリッジ１７がカートリッジ収容部６４に収容されたときに、右側壁４１よりも左方に突出している。詳しくは、現像カップリング形成部１２５の右面が、右側壁４１の右側平板部５６の右面より右方に配置されている。
【０１３３】
そして、カートリッジ側電極形成部６９の下面を左側壁４０の上面に、現像カップリング形成部１２５の下面を右側壁４１の上面に、それぞれ当接させるようにして、プロセスカートリッジ１７を、ドロワフレーム３９に対して支持させる。
【０１３４】
これにより、左側壁４０の上面および右側壁４１の上面が、支持部の一例として機能する。
（２）第３実施形態の効果
第３実施形態によれば、ドロワフレーム３９の下側に、プロセスカートリッジ１７を支持するための支持部を配置することなく、左側壁４０および右側壁４１の上面を利用して、プロセスカートリッジ１７を支持することができる。
【０１３５】
そのため、簡易な構成により、プロセスカートリッジ１７をドロワフレーム３９に対して支持させることができる。
【０１３６】
また、第３実施形態においても、上記した第１実施形態と同様の作用効果を得ることができる。
８．第４実施形態
（１）第４実施形態の構成
図９Ｂを参照して、本発明の画像形成装置の第４実施形態を説明する。なお、第４実施形態において、上記した第１実施形態と同様の部材には同様の符号を付し、その説明を省略する。
【０１３７】
上記した第１実施形態では、図２に示すように、左側補強部材４８の上端縁は、右側面視において、左側フレーム４７の上端縁よりも下方となるように配置されており、右側補強部材５５の上端縁は、右側面視において、右側フレーム５４の上端縁よりも下方となるように配置されている。
【０１３８】
これに対して、第４実施形態では、図９Ｂに示すように、左側面視において、左側フレーム４７の上端縁と、左側補強部材４８の上端縁とが、上下方向において同一位置となるように配置されている。また、右側面視において、右側フレーム５４の上端縁と、右側補強部材５５の上端縁とが、上下方向において同一位置となるように配置されている。
（２）第４実施形態の効果
第４実施形態によれば、左側補強部材４８の上端縁を左側フレーム４７の上端縁まで延ばすことができるので、左側壁４０における左側補強部材４８の比率を高めることができる。そのため、左側壁４０は、第１実施形態と比較して、より高い剛性を確保することができる。
【０１３９】
また、右側補強部材５５の上端縁を右側フレーム５４の上端縁まで延ばすことができる。そのため、右側壁４１は、第１実施形態と比較して、より高い剛性を確保することができる。
【０１４０】
また、第４実施形態においても、上記した第１実施形態と同様の作用効果を得ることができる。
９．変形例
上記した第１実施形態、第２実施形態、および、第３実施形態では、ブラックプロセスカートリッジ１７Ｋを第１カートリッジの一例とし、カラーのプロセスカートリッジ１７を第２カートリッジの一例としたが、ブラックプロセスカートリッジ１７Ｋを第２カートリッジの一例とし、カラーのプロセスカートリッジ１７を第１カートリッジの一例としてもよい。また、プロセスカートリッジ１７の内のいずれか１つ、例えば、イエロープロセスカートリッジ１７Ｙを第１カートリッジの一例とし、その他のプロセスカートリッジ１７のいずれか１つ、または、２つ以上を第２カートリッジの一例としてもよい。また、プロセスカートリッジ１７の内のいずれか１つ、例えば、マゼンタプロセスカートリッジ１７Ｍを第２カートリッジの一例とし、その他のプロセスカートリッジ１７のいずれか１つ、または、２つ以上を第１カートリッジの一例としてもよい。
【０１４１】
このような場合には、第１カートリッジに対応するプロセスカートリッジ１７の感光ドラム１８と、帯電ローラ１９と、現像ローラ２０と、供給ローラ２１とが、第１プロセス体および第３プロセス体の一例として構成され、第１カートリッジに対応するプロセスカートリッジ１７のカートリッジ側電極７０が、第１受電部の一例として構成され、第１カートリッジに対応するプロセスカートリッジ１７の現像カップリング７１が、第１駆動伝達部の一例として構成される。
【０１４２】
また、第２カートリッジに対応するプロセスカートリッジ１７の感光ドラム１８と、帯電ローラ１９と、現像ローラ２０と、供給ローラ２１とが、第２プロセス体および第４プロセス体の一例として構成され、第２カートリッジに対応するプロセスカートリッジ１７のカートリッジ側電極７０が、第２受電部の一例として構成され、第２カートリッジに対応するプロセスカートリッジ１７の現像カップリング７１が、第２駆動伝達部の一例として構成される。
【０１４３】
本体ケーシング２の内側ケーシング８１においては、第１カートリッジに対応するプロセスカートリッジ１７に対応する本体側電極９５が、第１給電部の一例として構成され、第１カートリッジに対応するプロセスカートリッジ１７に対応する現像駆動供給部９８が、第１駆動供給部の一例として構成される。
【０１４４】
また、第２カートリッジに対応するプロセスカートリッジ１７に対応する本体側電極９５が、第２給電部の一例として構成され、第２カートリッジに対応するプロセスカートリッジ１７に対応する現像駆動供給部９８が、第２駆動供給部の一例として構成される。
【符号の説明】
【０１４５】
１      プリンタ
２      本体ケーシング
１７    プロセスカートリッジ
１８    感光ドラム
１９    帯電ローラ
２０    現像ローラ
２１    供給ローラ
３９    ドロワフレーム
４０    左側壁
４１    右側壁
４７    左側フレーム
４８    左側補強部材
５０    左側支持部
５４    右側フレーム
５５    右側補強部材
５７    右側支持部
７０    カートリッジ側電極
７１    現像カップリング
７２    ドラムカップリング
７４    凹部
７５    空間
９５    本体側電極
９８    現像駆動供給部
９９    ドラム駆動供給部
１０７  左側フレーム
１０８  左側補強部材
１１３  左側突出部
１１４  右側フレーム
１１５  右側補強部材
１２１  右側突出部
【図１】
2014167568.tif 000003
【図２】
2014167568.tif 000004
【図３】
2014167568.tif 000005
【図４】
2014167568.tif 000006
【図５】
2014167568.tif 000007
【図６】
2014167568.tif 000008
【図７】
2014167568.tif 000009
【図８】
2014167568.tif 000010
【図９】
2014167568.tif 000011